(57)【要約】【課題】簡単に組み立て、解体ができ、それ自体で収納品を保持することができると共に、包装箱の変形を抑制することができ、曲面を持った商品でも容易に保持することが可能となる段ボール製緩衝保持部材を提供する。【解決手段】１枚の段ボール製シートを折り曲げて組み立てる収納品の段ボール製緩衝保持部材であって、  前記１枚の段ボール製シートには、  四角形の底部と、  前記四角形の底部の四隅に、該四隅の角部に頂角が位置するように、横断面が三角形の中空の柱部を直立状に組み立てるための面部と、  前記四隅に組み立てられたそれぞれの柱部間を連結するための接続片と、  が形成されており、  前記四隅に柱部を組み立てて、これらの柱部間を前記接続片で連結した際に、前記横断面が三角形の中空の柱部における前記頂角と対向位置にある面部によって、前記収納品を保持することが可能に構成されている。【選択図】            図２
2010105716.tif 000002
【特許請求の範囲】
【請求項１】
１枚の段ボール製シートを折り曲げて組み立てる収納品の段ボール製緩衝保持部材であって、
前記１枚の段ボール製シートには、
四角形の底部と、
前記四角形の底部の四隅に、該四隅の角部に頂角が位置するように、横断面が三角形の中空の柱部を直立状に組み立てるための面部と、
前記四隅に組み立てられたそれぞれの柱部間を連結するための接続片と、
が形成されており、
前記四隅に柱部を組み立てて、これらの柱部間を前記接続片で連結した際に、前記横断面が三角形の中空の柱部における前記頂角と対向位置にある面部によって、前記収納品を保持することが可能に構成されていることを特徴とする段ボール製緩衝保持部材。
【請求項２】
前記横断面が三角形の中空の柱部を直立状に組み立てるための面部は、
前記四角形の底部のそれぞれの外側辺に折り曲げ線を介して連接された前記収納品と当接して保持する第１の面部と、
前記第１の面部の両側における一方の側に折り曲げ線を介して連接された第２の面部と、他方の側に折り曲げ線を介して連接された第３の面部とを、それぞれ備える一方、
前記接続片は、前記四隅に柱部を組み立てるためのそれぞれの面部に連接された接続片により形成され、これらの接続片により隣りの柱部と連結することが可能に構成されていることを特徴とする請求項１に記載の段ボール製緩衝保持部材。
【請求項３】
前記横断面が三角形の中空の柱部は、前記第１の面部を挟んで両側の第２の面部および第３の面部により逆“の”の字型の形状で、前記接続片により隣りの柱部と連結されていることを特徴とする請求項２に記載の段ボール製緩衝保持部材。
【発明の詳細な説明】
【技術分野】
【０００１】
本発明は、段ボール製緩衝保持部材に関するものである。
【背景技術】
【０００２】
従来、精密機器の包装には、流通過程における衝撃などから被包装物を保護するため、緩衝材が使われる。
近年の環境問題などの観点から、このような緩衝材はプラスチック系緩衝材からリサイクルが容易な段ボールによる緩衝材が数多く開発されるようになってきている。
この段ボール製緩衝保持部材は、プラスチック系緩衝材と同様の緩衝性を持たせるようにするためには、構造が複雑となる。
また、曲面などの形態を保持することは難しく、図５に示すように、四隅に空間ができるため包装箱が変形しやすいという問題があった。
従来、このような曲面を持った商品を保持できる緩衝材として、例えば、特許文献１における図６に示されるような構造の緩衝保持材が知られている。
この緩衝保持部材６２は、段ボールよりなり、四角形の底部を構成する基板６４と、基板６４の各角部に切り起こされた保持片６５を備えている。
使用に際しては、円筒形の商品を基板６４上に載置し、商品の外側は切り起こされた保持片６５で押さえて、包装ケース内に嵌め込まれる。
その際、保持片６５の両側片６１０が包装ケースの内壁に当接することにより、外側に倒れることなく、商品を保持するように構成されている。
また、特許文献２における図７に示されるような構造の緩衝保持体も知られている。
この緩衝保持体は、底板７９の対面する２辺に直立した側板７１０を備え、この側板を内方に折曲げた両端部７１２上下にはコーナー当て板７１３が形成され、コーナー当て板を包装箱に当接させて収納品を固定するように構成されている。
【特許文献１】特開平６−３４５１４０号公報（第５頁、図４）
【特許文献２】特開平８−１９２８３４号公報（第６頁、図４）
【発明の開示】
【発明が解決しようとする課題】
【０００３】
従来の段ボール製緩衝保持部材等においては、曲面を持った収納品を保持するためには、複雑な構造となり、組み立てや解体に手間がかかるものが多くみられた。
また、上記した特許文献１や特許文献２のような緩衝保持部材では、包装箱内に嵌め込まれ状態において、外側から包装箱に支持されることにより保持片が外側に倒れることを防止し、収納品の保持状態が保たれるようにされている。
したがって、包装箱が変形したり、あるいは収納品の収納状態によっては保持片等による固定を十分に機能させることができない場合が生じる。
また、このような緩衝保持部材では、角部に空間が生じてしまうことから、緩衝保持部材を包装箱の変形防止等の強度の向上に寄与させることができないこととなる。
【０００４】
本発明は、上記課題に鑑み、簡単に組み立て、解体ができ、それ自体で収納品を保持することができると共に、包装箱の変形を抑制することができ、曲面を持った商品でも容易に保持することが可能となる段ボール製緩衝保持部材の提供を目的とするものである。
【課題を解決するための手段】
【０００５】
本発明は、上記課題を解決するため、つぎのように構成した段ボール製緩衝保持部材を提供するものである。
本発明の段ボール製緩衝保持部材は、１枚の段ボール製シートを折り曲げて組み立てる収納品の段ボール製緩衝保持部材であって、
前記１枚の段ボール製シートには、
四角形の底部と、
前記四角形の底部の四隅に、該四隅の角部に頂角が位置するように、横断面が三角形の中空の柱部を直立状に組み立てるための面部と、
前記四隅に組み立てられたそれぞれの柱部間を連結するための接続片と、
が形成されており、
前記四隅に柱部を組み立てて、これらの柱部間を前記接続片で連結した際に、前記横断面が三角形の中空の柱部における前記頂角と対向位置にある面部によって、前記収納品を保持することが可能に構成されていることを特徴とする。
また、本発明の段ボール製緩衝保持部材は、前記横断面が三角形の中空の柱部を直立状に組み立てるための面部が、
前記四角形の底部のそれぞれの外側辺に折り曲げ線を介して連接された前記収納品と当接して保持する第１の面部と、
前記第１の面部の両側における一方の側に折り曲げ線を介して連接された第２の面部と、他方の側に折り曲げ線を介して連接された第３の面部とを、それぞれ備える一方、
前記接続片は、前記四隅に柱部を組み立てるためのそれぞれの面部に連接された接続片により形成され、これらの接続片により隣りの柱部と連結することが可能に構成されていることを特徴とする。
本発明の段ボール製緩衝保持部材は、前記横断面が三角形の中空の柱部が、前記第１の面部を挟んで両側の第２の面部および第３の面部により逆“の”の字型の形状で、前記接続片により隣りの柱部と連結されていることを特徴とする。
【発明の効果】
【０００６】
本発明によれば、簡単に組み立て、解体ができ、それ自体で収納品を保持することができると共に、包装箱の変形を抑制することができ、曲面を持った商品でも容易に保持することが可能となる。
【発明を実施するための最良の形態】
【０００７】
本発明においては、上記したように、１枚の段ボール製シートを折り曲げて組み立てる収納品の段ボール製緩衝保持部材が、前記四角形の底部の四隅に、該四隅の角部に頂角が位置するように、横断面が三角形の中空の柱部を直立状に組み立てるように構成される。
そして、前記四隅に柱部を組み立てて、これらの柱部間を前記接続片で連結した際に、前記横断面が三角形の中空の柱部における前記頂角と対向位置にある面部によって、前記収納品を保持することが可能に構成されている。
これにより、接着工程など不要で簡単に組み立て、解体ができ、それぞれの横断面が三角形の中空の柱部は、接続片で連結されているため、この段ボール製緩衝保持部材自体によって、収納品を保持が可能となる。すなわち、包装箱に収納して外側から包装箱に支持されることなく、それ自体で収納品を保持が可能となる。
また、接続片によって横断面が三角形の中空の柱部が連結されているから、強度が向上した構造となり、包装箱に収納された状態では、包装箱の強度を補完することができ、角部への衝撃に対しても包装箱が潰れることを防ぐことが可能となる。
【実施例】
【０００８】
実施例において、本発明を適用した段ボール製緩衝保持部材の構成例について説明する。
図１に、本実施例における構成例を説明する段ボール製緩衝保持部材の展開図を示す。
図１において、１、２、３、４は柱部であり、１ａ、２ａ、３ａ、４ａは柱部の収納物と接する面部、１ｂ、２ｂ、３ｂ、４ｂは柱部の内側になる面部、１ｃ、２ｃ、３ｃ、４ｃは柱部の外側になる面部である。
１ｄ、２ｄ、３ｄ、４ｄは引っ掛け部を有する接続片、１１ａ、２１ａ、３１ａ、４１ａは切り欠き部、１１ｂ、２１ｂ、３１ｂ、４１ｂは引っ掛け部である。１２ｃ、２３ｃ、３４ｃ、４１ｃは切り込み線、５ａは底部、１０１は段ボール製緩衝保持部材である。
なお、図１の説明においては、「上」、「下」、「左」、「右」とは、この図に示された向きでの上下左右に対応する状態を指している。
【０００９】
本実施例の段ボール製緩衝保持部材１０１は、１枚の段ボール製シートにより形成される。
前記１枚の段ボール製シートには、四角形の底部と、前記四角形の底部の四隅に、該四隅の角部に頂角が位置するように、横断面が三角形の中空の柱部を直立状に組み立てるための面部と、前記四隅に組み立てられたそれぞれの柱部間を連結するための接続片と、が形成されている。
前記横断面が三角形の中空の柱部を直立状に組み立てるための面部は、
前記四角形の底部のそれぞれの外側辺に折り曲げ線を介して連接された前記収納品と当接して保持する第１の面部と、
前記第１の面部の両側における一方の側に折り曲げ線を介して連接された第２の面部を、他方の側に折り曲げ線を介して連接された第３の面部を、それぞれ備える。
具体的には、図１の展開図に示されるように、段ボール製緩衝保持部材１０１は、四角形の底部５ａと、これに折り曲げ線を介して、上記四角形の底部５ａの上下左右のそれぞれの外側辺に連なる４つの柱部１、２、３、４を形成するための面部を備えている。
なお、図１において、折り曲げ線は一点鎖線で示されており、他の折り曲げ線も同様に一点鎖線で示されている。
また、上記上下左右の柱部の連接部分には、４５度の切り込み線１２ｃ、２３ｃ、３４ｃ、４１ｃが形成されている。
柱部１は、組み立てた時に内側になる面部１ａ（第１の面部）と、その左右に折り曲げ線を介して連接された面部１ｂ（第２の面部）、面部１ｃ（第３の面部）とを備える。
そして、これらの面部は後に説明するように、折り曲げて横断面が三角形の中空の柱部１を組み立てる際に用いられる。
また、面部１ａと面部１ｃの連接線上部には、切り欠き部１１ａが形成されている。
さらに、面部１ｃの面部１ａと反対側の端部には折り曲げ線を介して接続片１ｄが連接され、この接続片１ｄには引っ掛け部１１ｂが形成されている。
【００１０】
同様に柱部２は、組み立てた時に内側になる面部２ａと、その上下に折り曲げ線を介して連接された面部２ｂ、面部２ｃとを備える。
そして、これらの面部は後に説明するように、折り曲げて横断面が三角形の中空の柱部２を組み立てる際に用いられる。
また、面部２ａと面部２ｃの連接線左部には、切り欠き部２１ａが形成されている。
さらに、面部２ｃの面部２ａと反対側の端部には折り曲げ線を介して接続片２ｄが連接され、この接続片２ｄには引っ掛け部２１ｂが形成されている。
【００１１】
同様に柱部３は、組み立てた時に内側になる面部３ａと、その左右にその上下に折り曲げ線を介して連接された面部３ｂ、面部３ｃとを備える。
そして、これらの面部は後に説明するように、折り曲げて横断面が三角形の中空の柱部３を組み立てる際に用いられる。
また、面部３ａと面部３ｃの連接線下部には、切り欠き部３１ａが形成されている。
さらに、面部３ｃの面部３ａと反対側の端部には折り曲げ線を介して接続片３ｄと連接され、この接続片３ｄには引っ掛け部３１ｂが形成されている。
【００１２】
同様に柱部４は、組み立てた時に内側になる面部４ａと、その上下に面部４ｂ、面部４ｃとを備える。
そして、これらの面部は後に説明するように、折り曲げて横断面が三角形の中空の柱部４を組み立てる際に用いられる。
また、面部４ａと面部４ｃの連接線右部には、切り欠き部４１ａが形成されている。
さらに、面部４ｃの面部４ａと反対側の端部には折り曲げ線を介して接続片４ｄと連接され、この接続片４ｄには引っ掛け部４１ｂが形成されている。
【００１３】
図２により、本実施例の段ボール製緩衝保持部材において、上記した横断面が三角形の中空の柱部を、四角形の底部の四隅に直立状に組み立てる具体的手順について説明する。
段ボール製緩衝保持部材１０１を組み立てる際には、まず、四角形の底部５ａの各辺に連接する面部１ａ、２ａ、３ａ、４ａを底部５ａに対して谷折りに垂直となるように折り曲げる。
次に、面部１ａ〜１ｃと接続片１ｄ、面部２ａ〜２ｃと接続片２ｄ、面部３ａ〜３ｃと接続片３ｄ、面部４ａ〜４ｃと接続片４ｄを、それぞれの曲げ線を介して山折りに曲げ、面部１ａ〜４ａが内側になるように組み立てて横断面が三角形の中空の柱部を形成する。
さらに、引っ掛け部１１ｂ、２１ｂ、３１ｂ、４１ｂを、切り欠き部２１ａ、３１ａ、４１ａ、１１ａにそれぞれ差し込むことにより、上記四角形の底部の四隅に横断面が三角形の中空の柱部を直立状に組み立てられる。
これにより、四角形の底部の四隅に横断面が三角形の中空の柱部を直立状に組み立てられた段ボール製緩衝保持部材が形成される。
このとき、上記横断面が三角形の中空の柱部１〜４は、前記第１の面部を挟んで両側の第２の面部および第３の面部により逆“の”の字型の形状で、前記接続片により隣りの柱部と連結されるように構成される。
また、解体の際には、これらの連結を解除することにより、簡単に段ボール紙の状態に戻すことができる。
【００１４】
図３、図４により、本実施例の上記した四角形の底部の四隅に横断面が三角形の中空の柱部を直立状に組み立てられた段ボール製緩衝保持部材を用い、曲面を持った収納品を保持する方法を説明する。
上記した接続片は、前記四隅に柱部を組み立てるためのそれぞれの面部に連接された接続片により形成され、これらの接続片により隣りの柱部と連結することが可能に構成されている。
具体的には、図３に示されるように、接続片１ｄは、面部１ｂ、面部１ａ、面部１ｃと連接しており、段ボール製緩衝保持部材１０１を組み立てる際に、接続片１ｄにある引っ掛け部１１ｂを、隣りの横断面が三角形の中空の柱部の切り欠き部２１ａと連結する。
この際に、組み立てられた段ボール製緩衝保持部材１０１の面部１ａ〜面部４ａは、図４の様に曲面を持った収納物２０１と当接して保持を行なう。
【００１５】
このとき、引っ掛け部を有する接続片１ｄ〜接続片４ｄの引張力で収納物２０１を固定し、さらに、面部１ｂ〜面部４ｂが固定されていないことから、山折りした状態から広がろうとする力が生じ、収納物２０１を中心の位置に維持しようとする力が発生する。
このように、底部の四隅に直立状に組み立てられた横断面が三角形の中空の柱部は、それぞれの隣りの柱部と連結されている接続片の引張力により、曲面を持った収納物においても上記した面部１ａ〜面部４ａによって安定して保持することができる。
また、この段ボール製緩衝保持部材１０１の上記底部の四隅における柱部は、横断面が三角形の閉じた形状で中空に形成された柱部が、上記したように接続片によってそれぞれの隣りの柱部が連結されているから、強度が向上した構造とすることができる。
そのため、本実施例のこのような強度が向上した段ボール製緩衝保持部材１０１で収納物２０１を保持して包装箱に収納した際、包装箱の強度を補完することができ、角部への衝撃に対しても包装箱が潰れることを防ぐことが可能となる。
【図面の簡単な説明】
【００１６】
【図１】本発明の実施例における構成例を説明する段ボール製緩衝保持部材の展開図である。
【図２】本発明の実施例における段ボール製緩衝保持部材の組み立て図である。
【図３】本発明の実施例における段ボール製緩衝保持部材に曲面を持った収納品を入れて接続片により三角形の柱と連結する状態を示す図である。
【図４】本発明の実施例における段ボール製緩衝保持部材に曲面を持った収納品を保持の状態を示す図である。
【図５】従来の段ボール製緩衝保持部材の収納状態と変形した状態を示す図である。
【図６】従来例である特許文献１における包装装置の構成を説明する図である。
【図７】従来例である特許文献２における包装装置の構成を説明する図である。
【符号の説明】
【００１７】
１、２、３、４：柱部
１ａ、２ａ、３ａ、４ａ：柱部の収納物と接する面部
１ｂ、２ｂ、３ｂ、４ｂ：柱部の内側になる面部
１ｃ、２ｃ、３ｃ、４ｃ：柱部の外側になる面部
１ｄ、２ｄ、３ｄ、４ｄ：引っ掛け部を有する接続片
１１ａ、２１ａ、３１ａ、４１ａ：切り欠き部
１１ｂ、２１ｂ、３１ｂ、４１ｂ：引っ掛け部
１２ｃ、２３ｃ、３４ｃ、４１ｃ：切り込み線
５ａ：底部
１０１：段ボール製緩衝保持部材
２０１：曲面を持った収納物
【図１】
2010105716.tif 000003
【図２】
2010105716.tif 000004
【図３】
2010105716.tif 000005
【図４】
2010105716.tif 000006
【図５】
2010105716.tif 000007
【図６】
2010105716.tif 000008
【図７】
2010105716.tif 000009